(57)【要約】  ハイブリッド放送におけるディジタル放送を受信するにあたり、所定時間内にＡＦチェックを実行する回数をアナログ放送の受信時よりも減らす制御を行う。
2012014254.tif 000002
【特許請求の範囲】
【請求項１】
アナログ放送とディジタル放送が混在したハイブリッド放送を受信するとともに、同一内容を放送している放送局の周波数を確認するＡＦ（Alternative Frequencies）チェックを実行して受信状態が良好な放送波を受信する受信装置において、
前記ハイブリッド放送におけるディジタル放送を受信するにあたり、所定時間内にＡＦチェックを実行する回数を前記アナログ放送の受信時よりも減らす制御を行う制御部を備えたことを特徴とする受信装置。
【請求項２】
アナログ放送とディジタル放送が混在したハイブリッド放送を受信するとともに、同一内容を放送している放送局の周波数を確認するＡＦチェックを実行して受信状態が良好な放送波を受信する受信装置において、
前記ハイブリッド放送におけるディジタル放送を受信するにあたり、ＡＦチェックを開始する受信品質レベルの閾値を、前記アナログ放送の受信時よりも下げる制御を行う制御部を備えたことを特徴とする受信装置。
【請求項３】
アナログ放送とディジタル放送が混在したハイブリッド放送を受信するとともに、同一内容を放送している放送局の周波数を確認するＡＦチェックを実行して受信状態が良好な放送波を受信する受信装置において、
受信中の前記ハイブリッド放送で同一内容を放送している切り替え可能な全ての放送局に対するディジタル放送局の割合であるディジタル放送局率に応じて、前記ディジタル放送の受信時に実行されるＡＦチェックの回数が減るように、所定時間内にＡＦチェックを実行する回数又はＡＦチェックを開始する受信品質レベルの閾値を変更する制御を行う制御部を備えたことを特徴とする受信装置。
【請求項４】
アナログ放送とディジタル放送が混在したハイブリッド放送を受信するとともに、同一内容を放送している放送局の周波数を確認するＡＦチェックを実行して受信状態が良好な放送波を受信する受信装置において、
自装置を搭載する移動体の移動速度に応じて、前記ディジタル放送の受信時に実行されるＡＦチェックの回数が減るように、所定時間内にＡＦチェックを実行する回数又はＡＦチェックを開始する受信品質レベルの閾値を変更する制御を行う制御部を備えたことを特徴とする受信装置。
【請求項５】
アナログ放送とディジタル放送が混在したハイブリッド放送を受信するとともに、同一内容を放送している放送局の周波数を確認するＡＦチェックを実行して受信状態が良好な放送波を受信する受信装置において、
前記ハイブリッド放送におけるディジタル放送を受信可能か否か、受信中の前記ハイブリッド放送で同一内容を放送している切り替え可能な全ての放送局に対するディジタル放送局の割合であるディジタル放送局率及び自装置を搭載する移動体の移動速度に応じて、前記ディジタル放送の受信時に実行されるＡＦチェックの回数が減るように、所定時間内にＡＦチェックを実行する回数又はＡＦチェックを開始する受信品質レベルの閾値を変更する制御を行う制御部を備えたことを特徴とする受信装置。
【発明の詳細な説明】
【技術分野】
【０００１】
この発明は、ＨＤ（High Definition）ラジオ放送などのディジタルラジオ放送を受信する受信装置に関するものである。
【背景技術】
【０００２】
ＩＢＯＣ（In Band On Channel）方式とは、既存のＡＭ／ＦＭ周波数帯を用いて、アナログ放送とディジタル放送の両立が可能な放送方式である。この方式は、２００２年にＦＣＣ（Federal Communication Commission）によって認可され、ＨＤラジオとして、現在普及が加速している。
また、ＦＭ多重放送であるＲＤＳ（Radio Data System）又はＢＤＳ（Broadcast Data System）の受信装置では、ＡＦ（Alternative Frequencies）チェックを採用している。ＡＦチェックとは、現受信局の受信状態が悪くなった場合、同一放送内容を放送し、かつ現受信局より受信品質の良い放送局を見つけるために、代替周波数の受信品質を確認するチェック動作である。代替周波数の方が受信品質が良ければ、その代替周波数を継続受信し、代替周波数の方が受信品質が悪ければ、元の受信局の受信へ戻る。【０００３】
ＩＢＯＣ方式の放送波を受信する従来の受信装置として、例えば、特許文献１に開示されるものがある。この装置では、ダイバーシティ受信手段を備え、受信した放送波にＩＢＯＣ放送波がないと判定したときには、ダイバーシティ切替部をイネーブル状態で、かつ狭帯域用フィルタの出力を選択するよう制御し、ＩＢＯＣ放送波が存在すると判定したときは、ダイバーシティ切替部をディスイネーブル状態で、かつ広帯域用フィルタの出力を選択するよう制御する。このようにすることで、ＩＢＯＣ放送の受信時とアナログ放送の受信時の受信状態の最適化を図っている。【０００４】
しかしながら、特許文献１に代表される従来の受信装置では、ディジタル放送受信中にＡＦチェックが実施されて短時間であっても代替周波数を受信してしまうと、当該代替周波数から上記ディジタル放送を受信していた現受信局へ切り替わる際、ディジタルデータを取得するタイミングに“同期外れ”が発生するおそれがあり、ディジタル放送の受信性能を低下させる場合があるという課題がある。【０００５】
この発明は、上記のような課題を解決するためになされたもので、ＡＦチェックによるディジタル放送受信の同期外れを抑制できる受信装置を得ることを目的とする。
【先行技術文献】
【特許文献】
【０００６】
【特許文献１】特開２００４−３４９８０５号公報
【発明の概要】
【０００７】
この発明に係る受信装置は、アナログ放送とディジタル放送が混在したハイブリッド放送を受信するとともに、同一内容を放送している放送局の周波数を確認するＡＦチェックを実行して受信状態が良好な放送波を受信する受信装置において、ハイブリッド放送におけるディジタル放送を受信するにあたり、所定時間内にＡＦチェックを実行する回数をアナログ放送の受信時よりも減らす制御を行う制御部を備えるものである。
【０００８】
この発明によれば、ハイブリッド放送におけるディジタル放送を受信するにあたり、所定時間内にＡＦチェックを実行する回数をアナログ放送の受信時よりも減らすので、ＡＦチェックによるディジタル放送受信の同期外れを抑制できるという効果がある。
【図面の簡単な説明】
【０００９】
【図１】ＦＭハイブリッド方式の放送波伝送形態を示す図である。
【図２】アナログ音声とディジタル音声の切り替わりを示す説明図である。
【図３】ＦＭハイブリッド方式のディジタル音声及びアナログ音声の音声品質と受信品質との関係を示す図である。
【図４】この発明の実施の形態１による受信装置の構成を示すブロック図である。
【図５】実施の形態１のＨＤラジオ受信機による動作（方法１）の流れを示すフローチャートである。
【図６】実施の形態１のＨＤラジオ受信機による動作（方法２）の流れを示すフローチャートである。
【図７】実施の形態１のＨＤラジオ受信機による動作（方法３）の流れを示すフローチャートである。
【図８】実施の形態１のＨＤラジオ受信機による動作（方法４）の流れを示すフローチャートである。
【図９】実施の形態１のＨＤラジオ受信機による動作（方法５）の流れを示すフローチャートである。
【発明を実施するための形態】
【００１０】
以下、この発明をより詳細に説明するため、この発明を実施するための形態について、添付の図面に従って説明する。
実施の形態１．
ディジタル放送波の伝送方式には、ＦＭハイブリッド方式がある。
図１は、ＦＭハイブリッド方式の放送波伝送形態を示す図である。図１に示すように、ＦＭハイブリッド方式のディジタル放送伝送では、従来のアナログＦＭ／ＡＭ放送と同一の周波数帯を使用するため、新たな割り当てが不要である。なお、ＦＭハイブリッド方式とは、ＦＭアナログ信号の上側波帯及び下側波帯の両側のそれぞれに、約７０ｋＨｚ幅のディジタル変調波を付加したアナログ／ディジタル混成の方式である。
【００１１】
上述のＦＭハイブリッド方式の形態で伝送されたディジタル放送を受信するＨＤラジオ受信機では、図２に示すように、先ず放送局からアナログ放送を受信し、ディジタル変調波が存在している場合は、そのディジタル放送波を復調し、ブレンドという処理によってアナログ出力からディジタル出力への切り替えを行う。
つまり、ディジタル放送を受信可能な強・中電界地域では、ディジタル放送を受信し、ディジタル放送の受信が不可能な弱電界地域は、音切れ防止のためにアナログ放送受信へスムーズに切り替わる。
【００１２】
ＨＤラジオ受信機では、ディジタル放送を受信する場合にディジタルデータを取得するタイミングであるクロックに同期をとって復調する処理が必要となる。このため、ディジタル放送の受信中にＡＦチェックを実施し、短時間でも代替周波数を受信してしまうと、代替周波数の受信前にディジタル放送を受信していた受信局へ切り替わる際に、復調処理の“同期外れ”が発生してディジタル放送の受信性能が低下する。
【００１３】
図３は、ＦＭハイブリッド方式のディジタル音声及びアナログ音声の音声品質と受信品質との関係を示す図である。図３に示すように、ディジタル放送の受信が不可能な弱電界地域では、ＨＤラジオ受信機において、ディジタル音声が出力されないため、音声品質が“０”となる。また、ディジタル放送の受信が可能となる一定以上の電界強度になると、一気にＣＤ音声並の高品質の音声になる。
アナログ放送の場合は、受信品質が上がるにつれて音声品質も緩やかに上昇し、一定の音声品質になると、それ以上は品質が向上せず、ディジタル音声の品質ほどは良くならない。
【００１４】
さらに、アナログ音声は、複数の経路から同じ電波の遅延波を受信する現象であるマルチパスや、信号の強度等が時間的・空間的に大きく変化する現象であるフェージングの影響を受けやすい。従って、ユーザにとって、できる限り高音質のディジタル放送の受信を保持するのが望ましい。
【００１５】
図４は、この発明の実施の形態１による受信装置の構成を示すブロック図であって、本発明をＨＤラジオ受信機に適用した構成を示している。図１に示すＨＤラジオ受信機は、アンテナ１１、アンテナ切替部１２、フロントエンド１３、ＦＭ検波部１４、マルチプレクス（ＭＰＸ；multiplexer）復調回路１５、ＰＬＬ（Phase Locked Loop）回路１６、受信品質検出部１７、ディジタル信号デコード部１８、ディジタル音声データ用メモリ１９、音声切替部２０、及び制御部２１を有している。なお、当該ＨＤラジオ受信機は、車両等の移動体に設けられる。ここでは、ナビゲーションシステム２２及び車速センサ２３を有する車両に設けた場合について説明する。
【００１６】
アンテナ１１で受信されたＦＭ  ＨＤラジオ放送波は、アンテナ切替部１２を経由してフロントエンド１３へ送られる。フロントエンド１３では、受信した放送波から、希望の放送局の周波数の信号を選択して中間周波数（ＩＦ）に変換した後、ＦＭ検波部１４及びディジタル信号デコード部１８へ供給する。
なお、フロントエンド１３は、プログラマブル分周器を含むＰＬＬ回路１６によって制御されており、制御部２１が、分周比をＰＬＬ回路１６に設定して選局動作を行なう構成となっている。ＦＭ検波部１４からの検波出力はＭＰＸ復調回路１５に供給されており、ステレオ放送の場合には、Ｌ（左）、Ｒ（右）チャンネルの信号に分離されアナログ音声データとして、音声切替部２０に出力される。
【００１７】
ディジタル信号デコード部１８は、中間周波数に変換されたディジタルデータを、動作クロックに同期した所定のタイミングで取得してデコード（復調）する。ディジタル信号デコード部１８にデコードされた音声データは、一旦ディジタル音声データ用メモリ１９に格納され、ディジタル音声データとして音声切替部２０に出力される。制御部２１は、ディジタル音声データ用メモリの使用状況を確認し、ディジタル放送の出力が可能な場合は、音声切替部２０に対してディジタル音声データ用メモリ１９からの出力であるディジタル音声を選択するよう指令する。一方、ディジタル音声の出力が不可能な場合には、制御部２１が、音声切替部２０に対して、ＭＰＸ復調回路１５からの出力であるアナログ音声を選択するよう指令する。
【００１８】
ＡＦチェックの頻度（回数／秒）及びＡＦチェック開始閾値は、制御部２１に設定されている。ＡＦチェック開始閾値とは、ＡＦチェックを開始する受信電界強度等の受信品質を規定するパラメータに関する閾値である。制御部２１は、当該閾値をＡＦチェック開始条件として保持しており、受信品質検出部１７で検出された上記パラメータの値と当該閾値との比較結果からＡＦチェック開始条件を満たしていると判断すると、ＭＰＸ復調回路１５が現受信局の放送波から取得したＡＦリストに基づいてＡＦチェックを実行する。
なお、ＡＦリストとは、現受信局と同一放送内容（番組）を放送している放送局の周波数（代替周波数）のリストである。
【００１９】
次に動作について説明する。
以下では、放送局の受信状況に応じてＡＦチェック制御を切り替える、方法１〜方法５の詳細を述べる。
（方法１）ディジタル放送受信中はＡＦチェックの頻度を減らす方法
図５は、実施の形態１のＨＤラジオ受信機による動作（方法１）の流れを示すフローチャートである。ＨＤラジオ受信機において、放送を受信し始めたときには、上述のように必ずアナログ放送から最初に受信される。このとき、制御部２１は、アナログ放送受信におけるＡＦチェック頻度（回数／秒）を初期値として設定する（ステップＳＴ１）。
【００２０】
次に、制御部２１は、受信品質検出部１７で検出された受信品質レベルに基づいて、ＨＤラジオ放送におけるディジタル放送の受信が可能か否か、すなわち受信中のＨＤラジオ放送のディジタル音声出力が可能か否かを判定する（ステップＳＴ２）。つまり、ディジタル放送の受信が不可な受信品質レベルでは、ディジタル音声出力が“０”となり、ディジタル放送の受信が可能な受信品質レベルではディジタル音声出力される。
【００２１】
制御部２１は、ディジタル音声出力が可能と判定すると（ステップＳＴ２；ＹＥＳ）、現在の頻度よりもＡＦチェック頻度を下げる（ステップＳＴ３）。ＡＦチェック頻度をどの程度下げるかは、頻度を下げることによる効果が十分に期待できる値とする。例えば、現在の頻度から半減させたり、完全に０としてもよい。ＡＦチェック頻度を下げる目標値は、制御部２１に予め設定しておく。
【００２２】
一方、ディジタル音声出力が不可能と判定した場合（ステップＳＴ２；ＮＯ）、制御部２１は、現在のＡＦチェック頻度を継続する（ステップＳＴ４）。現在の頻度を維持するのではなく、ディジタル音声出力が不可能であれば、現在の頻度よりもＡＦチェック頻度を上げるようにしてもよい。
【００２３】
なお、ディジタル音声出力が可能か否かに応じてＡＦチェックの頻度を変更するだけでなく、受信品質（受信電界値やマルチパス、隣接妨害等）の影響も考慮して、より細かくＡＦチェックの頻度を設定してもよい。
例えば、受信電界値、マルチパス、隣接妨害等の受信品質を規定するパラメータから、ＡＦチェックの頻度の最適値（実験的、統計的に決定した値）を算出する方程式を制御部２１に設定しておく。制御部２１は、ディジタル放送受信中に受信品質検出部１７で検出された受信品質の検出結果の上記パラメータと当該方程式を用いて最適値を算出し、算出した値をＡＦチェック頻度として設定する。
【００２４】
アナログ放送受信中の場合もディジタル放送受信中の場合も、ＡＦチェック開始条件を満たした時点で、ＡＦチェックを実施する。例えば、受信電界値やマルチパス、隣接妨害等から規定される受信品質レベルに関する閾値をＡＦチェック開始条件として制御部２１に設定しておく。制御部２１は、アナログ放送又はディジタル放送の受信中に、受信品質検出部１７で検出された結果から導出した受信品質レベルと上記閾値とを比較して、現受信局の受信品質レベルが閾値未満となり、ＡＦチェック開始条件を満たしたと判断された時点でＡＦチェックを行う。
【００２５】
（方法２）ディジタル放送受信中はＡＦチェック開始閾値を下げる方法
図６は、実施の形態１のＨＤラジオ受信機による動作（方法２）の流れを示すフローチャートである。ＨＤラジオ受信機において、放送を受信し始めたときには、上述のように必ずアナログ放送から最初に受信される。このとき、制御部２１は、アナログ放送受信におけるＡＦチェック開始閾値を初期値として設定する（ステップＳＴ１ａ）。
なお、このＡＦチェック開始閾値とは、例えば、受信電界値やマルチパス、隣接妨害等から規定される受信品質レベルに関する閾値であり、受信品質レベルが当該閾値未満まで低下すると、ＡＦチェックが開始される。
【００２６】
次に、制御部２１は、方法１と同様に、受信中のＨＤラジオ放送のディジタル音声出力が可能か否かを判定する（ステップＳＴ２ａ）。ディジタル音声出力が可能と判定すると（ステップＳＴ２ａ；ＹＥＳ）、制御部２１は、現在よりもＡＦチェック開始閾値を下げる（ステップＳＴ３ａ）。ＡＦチェック開始閾値をどの程度下げるかについては、ＡＦチェックを行う必要がない受信レベルとなる値とする。ＡＦチェック開始閾値を下げる目標値は、制御部２１に予め設定しておく。
【００２７】
一方、ディジタル音声出力が不可能と判定した場合（ステップＳＴ２ａ；ＮＯ）、制御部２１は、現在のＡＦチェック開始閾値を維持する（ステップＳＴ４ａ）。また、現在の閾値を維持するのではなく、ディジタル音声出力が不可能であり、暫くアナログ音声出力が継続されるような場合あれば、現在の値よりもＡＦチェック開始閾値を上げるようにしてもよい。
【００２８】
なお、ディジタル音声出力が可能か否かに応じてＡＦチェック開始閾値を変更するだけでなく、受信品質（受信電界値やマルチパス、隣接妨害等）の影響も考慮して、より細かくＡＦチェック開始閾値を設定してもよい。
例えば、受信電界値、マルチパス、隣接妨害等の受信品質を規定するパラメータから、ＡＦチェック開始閾値の最適値（実験的、統計的に決定した値）を算出する方程式を制御部２１に設定しておく。制御部２１は、ディジタル放送受信中に、受信品質検出部１７で検出された受信品質の検出結果の上記パラメータと当該方程式を用いて最適値を算出し、算出した値をＡＦチェック開始閾値として設定する。
【００２９】
アナログ放送受信中の場合もディジタル放送受信中の場合も、ＡＦチェック開始条件を満たした時点で、ＡＦチェックを実施する。例えば、受信電界値や、マルチパス、隣接妨害等から規定される受信品質レベルに関する閾値を、ＡＦチェック開始条件として制御部２１に設定しておく。制御部２１は、アナログ放送又はディジタル放送の受信中に、受信品質検出部１７で検出された結果から導出した受信品質レベルと上記閾値とを比較して、現受信局の受信品質レベルが閾値未満となり、ＡＦチェック開始条件を満たしたと判断された時点でＡＦチェックを行う。
【００３０】
（方法３）ＡＦ局のディジタル放送局率からＡＦチェックを制御する方法
図７は、実施の形態１のＨＤラジオ受信機による動作（方法３）の流れを示すフローチャートである。ＨＤラジオ受信機において、制御部２１は、ナビゲーションシステム２２から自車の位置情報を取得し、当該位置情報から特定される自車が位置する地域ごとのディジタル放送局の情報、すなわち、当該地域における現受信局に対する全てのＡＦリストをＭＰＸ復調回路１５から入力する。次に、制御部２１は、現在の受信局における全てのＡＦリストに対するディジタル放送局の割合を示すディジタル放送局率を算出して、当該ディジタル放送局率が所定の基準値以上であるか否かを判定する（ステップＳＴ１ｂ）。
【００３１】
制御部２１は、ディジタル放送局率が所定の基準値以上であると判定すると（ステップＳＴ１ｂ；ＹＥＳ）、ＡＦチェックによってアナログ放送へ切り替わる可能性が低いことから、現在のＡＦチェック頻度を継続する（若しくは現在よりＡＦチェック頻度を上げる）、又は現在のＡＦチェック開始閾値を維持する（若しくは現在よりＡＦチェック開始閾値を上げる）、のうちの少なくとも一方を実行する（ステップＳＴ２ｂ）。
【００３２】
一方、ディジタル放送局率が所定の基準値未満であると判定すると（ステップＳＴ１ｂ；ＮＯ）、ＡＦチェックによってアナログ放送へ切り替わる可能性が高いことから、制御部２１は、現在の頻度よりＡＦチェック頻度を下げる、又は現在よりＡＦチェック開始閾値を下げる、のうちの少なくとも一方を実行する（ステップＳＴ３ｂ）。なお、ＡＦチェック頻度又はＡＦチェック開始閾値を下げる目標値は、制御部２１に予め設定しておく。
【００３３】
なお、ＡＦ局のディジタル放送局率が所定の基準値以上であるか否かに応じてＡＦチェック頻度又はＡＦチェック開始閾値を変更するだけでなく、ＡＦ局のディジタル放送局率の値に応じて段階的にＡＦチェック頻度又はＡＦチェック開始閾値の最適値を決定しておき、ＡＦ局のディジタル放送局率の値に応じてＡＦチェック頻度又はＡＦチェック開始閾値を段階的により細かく変更するようにしてもよい。
【００３４】
（方法４）車速度情報に応じてＡＦチェックを制御する方法
図８は、実施の形態１のＨＤラジオ受信機による動作（方法４）の流れを示すフローチャートである。ＨＤラジオ受信機において、制御部２１は、先ず、ディジタル放送受信中に、車速センサ２３から自車の車速度情報を取得し、現在の車速度が所定の基準値未満であるか否か（ある一定の基準値より遅いか否か）を判定する（ステップＳＴ１ｃ）。
【００３５】
制御部２１は、車速度が所定の基準値未満であると判定すると（ステップＳＴ１ｃ；ＹＥＳ）、自車が一定時間に移動する距離が短くなり、放送局の受信状態の変化が小さいため、現在の頻度よりＡＦチェック頻度を下げる、又は現在よりＡＦチェック開始閾値を下げる、のうちの少なくとも一方を実行する（ステップＳＴ２ｃ）。
ＡＦチェック頻度又はＡＦチェック開始閾値をどの程度下げるかについては、方法１，２と同様とする。ＡＦチェック頻度又はＡＦチェック開始閾値を下げる目標値は、制御部２１に予め設定しておく。
【００３６】
一方、車速度が所定の基準値以上であると判定すると（ステップＳＴ１ｃ；ＮＯ）、自車が一定時間に移動する距離が長く、放送局の受信環境の変化が大きいため、制御部２１は、現在のＡＦチェック頻度を継続する（若しくは現在のＡＦチェック頻度よりも上げる）、又は、現在のＡＦチェック開始閾値を維持する（若しくは現在のＡＦチェック開始閾値よりも上げる）、のうちの少なくとも一方を実行する（ステップＳＴ３ｃ）。
【００３７】
なお、車速度が所定の基準値未満であるか否かに応じてＡＦチェック頻度又はＡＦチェック開始閾値を変更するだけでなく、車速度の値に応じて、より細かくＡＦチェックの回数を設定してもよい。さらに、車が停止している場合は、放送局の受信状態が変化しないため、ＡＦチェックを停止してもよい。
【００３８】
（方法５）方法１〜方法４の組み合わせの方法
図９は、実施の形態１のＨＤラジオ受信機による動作（方法５）の流れを示すフローチャートである。ＨＤラジオ受信機において、制御部２１は、放送を受信し始めたときに、上述のように必ずアナログ放送から最初に受信される。このとき、制御部２１は、アナログ放送受信におけるＡＦチェック頻度及びＡＦチェック開始閾値を初期値として設定する（ステップＳＴ１ｄ）。
【００３９】
次に、制御部２１は、受信中のＨＤラジオ放送のディジタル音声出力が可能か否かを判定し、制御部２１による処理で得られた情報を記録するワーク領域を形成したメモリ（図４で図示を省略）に、当該判定結果を記録する（ステップＳＴ２ｄ）。なお、ディジタル音声出力が可能か否かの判定結果だけではなく、受信品質検出部１７で取得された現時点の受信品質（受信電界値やマルチパス、隣接妨害等）を示す検出結果についても記録するようにしてもよい。
【００４０】
続いて、制御部２１は、ナビゲーションシステム２２から自車の位置情報を取得して、当該位置情報から特定される自車が位置する地域ごとのディジタル放送局の情報、すなわち、当該地域における現在の受信局に対する全てのＡＦリストをＭＰＸ復調回路１５から入力し、現在の受信局における全てのＡＦリストに対するディジタル放送局の割合を示すディジタル放送局率を算出して上記メモリに記録する（ステップＳＴ３ｄ）。
【００４１】
また、制御部２１は、ディジタル放送受信中であると、車速センサ２３から現在の自車の車速度情報を取得して上記メモリに記録する（ステップＳＴ４ｄ）。
【００４２】
ステップＳＴ５ｄにおいて、制御部２１は、上記メモリに記録されている、現在の受信状態がディジタル音声出力が可能であるか否か、ディジタル放送局率が所定の基準値以上であるか否か、又は、ディジタル放送受信中で車速度が所定の基準値未満であるか否かを考慮して、ＡＦチェック頻度又はＡＦチェック開始閾値を制御する。
具体的には、現在の受信状態がディジタル音声出力が可能であるか否か、ディジタル放送局率が所定の基準値以上であるか否か、又は、ディジタル放送受信中で車速度が所定の基準値未満であるか否かを、ディジタル値で表現したパラメータを用いて、ＡＦチェック頻度及びＡＦチェック開始閾値の最適値（実験的、統計的に決定した値）を算出する方程式を制御部２１に設定しておく。
制御部２１は、ステップＳＴ２ｄからステップＳＴ４ｄまでの処理を完了した時点で、上記メモリに記録されている上記パラメータを用いて、当該方程式から算出した最適値をＡＦチェック頻度及びＡＦチェック開始閾値とする。
【００４３】
以上のように、この実施の形態１によれば、ディジタル音声出力が可能か（ディジタル放送受信が可能か）、現受信局の全ＡＦ局のディジタル放送局率、車速度情報のうちの少なくとも一つの変化から、ディジタル放送の受信中に実行されるＡＦチェックの回数が減るように、ＡＦチェック頻度又はＡＦチェック開始閾値の少なくとも一方を制御する。
このようにすることで、ＡＦチェックに起因したディジタル放送受信時の同期外れを効果的に抑制することができる。
【産業上の利用可能性】
【００４４】
この発明に係る受信装置は、ＡＦチェックに起因するディジタル放送受信時の同期外れを抑制でき、ディジタル音声の音切れを低減できることから、車両の走行に伴い受信環境が時々刻々と変化する可能性がある車載用のディジタル放送受信装置に好適である。
【図１】
2012014254.tif 000003
【図２】
2012014254.tif 000004
【図３】
2012014254.tif 000005
【図４】
2012014254.tif 000006
【図５】
2012014254.tif 000007
【図６】
2012014254.tif 000008
【図７】
2012014254.tif 000009
【図８】
2012014254.tif 000010
【図９】
2012014254.tif 000011
【手続補正書】
【提出日】平成24年6月27日(2012.6.27)
【手続補正１】
【補正対象書類名】明細書
【補正対象項目名】全文
【補正方法】変更
【補正の内容】
【発明の詳細な説明】
【技術分野】
【０００１】
この発明は、ＨＤ（High Definition）ラジオ放送などのディジタルラジオ放送を受信する受信装置に関するものである。
【背景技術】
【０００２】
ＩＢＯＣ（In Band On Channel）方式とは、既存のＡＭ／ＦＭ周波数帯を用いて、アナログ放送とディジタル放送の両立が可能な放送方式である。この方式は、２００２年にＦＣＣ（Federal Communication Commission）によって認可され、ＨＤラジオとして、現在普及が加速している。
また、ＦＭ多重放送であるＲＤＳ（Radio Data System）又はＢＤＳ（Broadcast Data System）の受信装置では、ＡＦ（Alternative Frequencies）チェックを採用している。ＡＦチェックとは、現受信局の受信状態が悪くなった場合、同一放送内容を放送し、かつ現受信局より受信品質の良い放送局を見つけるために、代替周波数の受信品質を確認するチェック動作である。代替周波数の方が受信品質が良ければ、その代替周波数を継続受信し、代替周波数の方が受信品質が悪ければ、元の受信局の受信へ戻る。
【０００３】
ＩＢＯＣ方式の放送波を受信する従来の受信装置として、例えば、特許文献１に開示されるものがある。この装置では、ダイバーシティ受信手段を備え、受信した放送波にＩＢＯＣ放送波がないと判定したときには、ダイバーシティ切替部をイネーブル状態で、かつ狭帯域用フィルタの出力を選択するよう制御し、ＩＢＯＣ放送波が存在すると判定したときは、ダイバーシティ切替部をディスイネーブル状態で、かつ広帯域用フィルタの出力を選択するよう制御する。このようにすることで、ＩＢＯＣ放送の受信時とアナログ放送の受信時の受信状態の最適化を図っている。
【先行技術文献】
【特許文献】
【０００４】
【特許文献１】特開２００４−３４９８０５号公報
【発明の概要】
【発明が解決しようとする課題】
【０００５】
しかしながら、特許文献１に代表される従来の受信装置では、ディジタル放送受信中にＡＦチェックが実施されて短時間であっても代替周波数を受信してしまうと、当該代替周波数から上記ディジタル放送を受信していた現受信局へ切り替わる際、ディジタルデータを取得するタイミングに“同期外れ”が発生するおそれがあり、ディジタル放送の受信性能を低下させる場合があるという課題がある。
【０００６】
この発明は、上記のような課題を解決するためになされたもので、ＡＦチェックによるディジタル放送受信の同期外れを抑制できる受信装置を得ることを目的とする。
【課題を解決するための手段】
【０００７】
この発明に係る受信装置は、アナログ放送とディジタル放送が混在したハイブリッド放送を受信するとともに、同一内容を放送している放送局の周波数を確認するＡＦチェックを実行して受信状態が良好な放送波を受信する受信装置において、ハイブリッド放送におけるディジタル放送を受信するにあたり、所定時間内にＡＦチェックを実行する回数をアナログ放送の受信時よりも減らす制御を行う制御部を備えるものである。
【発明の効果】
【０００８】
この発明によれば、ハイブリッド放送におけるディジタル放送を受信するにあたり、所定時間内にＡＦチェックを実行する回数をアナログ放送の受信時よりも減らすので、ＡＦチェックによるディジタル放送受信の同期外れを抑制できるという効果がある。
【図面の簡単な説明】
【０００９】
【図１】ＦＭハイブリッド方式の放送波伝送形態を示す図である。
【図２】アナログ音声とディジタル音声の切り替わりを示す説明図である。
【図３】ＦＭハイブリッド方式のディジタル音声及びアナログ音声の音声品質と受信品質との関係を示す図である。
【図４】この発明の実施の形態１による受信装置の構成を示すブロック図である。
【図５】実施の形態１のＨＤラジオ受信機による動作（方法１）の流れを示すフローチャートである。
【図６】実施の形態１のＨＤラジオ受信機による動作（方法２）の流れを示すフローチャートである。
【図７】実施の形態１のＨＤラジオ受信機による動作（方法３）の流れを示すフローチャートである。
【図８】実施の形態１のＨＤラジオ受信機による動作（方法４）の流れを示すフローチャートである。
【図９】実施の形態１のＨＤラジオ受信機による動作（方法５）の流れを示すフローチャートである。
【発明を実施するための形態】
【００１０】
実施の形態１．
ディジタル放送波の伝送方式には、ＦＭハイブリッド方式がある。
図１は、ＦＭハイブリッド方式の放送波伝送形態を示す図である。図１に示すように、ＦＭハイブリッド方式のディジタル放送伝送では、従来のアナログＦＭ／ＡＭ放送と同一の周波数帯を使用するため、新たな割り当てが不要である。なお、ＦＭハイブリッド方式とは、ＦＭアナログ信号の上側波帯及び下側波帯の両側のそれぞれに、約７０ｋＨｚ幅のディジタル変調波を付加したアナログ／ディジタル混成の方式である。
【００１１】
上述のＦＭハイブリッド方式の形態で伝送されたディジタル放送を受信するＨＤラジオ受信機では、図２に示すように、先ず放送局からアナログ放送を受信し、ディジタル変調波が存在している場合は、そのディジタル放送波を復調し、ブレンドという処理によってアナログ出力からディジタル出力への切り替えを行う。
つまり、ディジタル放送を受信可能な強・中電界地域では、ディジタル放送を受信し、ディジタル放送の受信が不可能な弱電界地域は、音切れ防止のためにアナログ放送受信へスムーズに切り替わる。
【００１２】
ＨＤラジオ受信機では、ディジタル放送を受信する場合にディジタルデータを取得するタイミングであるクロックに同期をとって復調する処理が必要となる。このため、ディジタル放送の受信中にＡＦチェックを実施し、短時間でも代替周波数を受信してしまうと、代替周波数の受信前にディジタル放送を受信していた受信局へ切り替わる際に、復調処理の“同期外れ”が発生してディジタル放送の受信性能が低下する。
【００１３】
図３は、ＦＭハイブリッド方式のディジタル音声及びアナログ音声の音声品質と受信品質との関係を示す図である。図３に示すように、ディジタル放送の受信が不可能な弱電界地域では、ＨＤラジオ受信機において、ディジタル音声が出力されないため、音声品質が“０”となる。また、ディジタル放送の受信が可能となる一定以上の電界強度になると、一気にＣＤ音声並の高品質の音声になる。
アナログ放送の場合は、受信品質が上がるにつれて音声品質も緩やかに上昇し、一定の音声品質になると、それ以上は品質が向上せず、ディジタル音声の品質ほどは良くならない。
【００１４】
さらに、アナログ音声は、複数の経路から同じ電波の遅延波を受信する現象であるマルチパスや、信号の強度等が時間的・空間的に大きく変化する現象であるフェージングの影響を受けやすい。従って、ユーザにとって、できる限り高音質のディジタル放送の受信を保持するのが望ましい。
【００１５】
図４は、この発明の実施の形態１による受信装置の構成を示すブロック図であって、本発明をＨＤラジオ受信機に適用した構成を示している。図１に示すＨＤラジオ受信機は、アンテナ１１、アンテナ切替部１２、フロントエンド１３、ＦＭ検波部１４、マルチプレクス（ＭＰＸ；multiplexer）復調回路１５、ＰＬＬ（Phase Locked Loop）回路１６、受信品質検出部１７、ディジタル信号デコード部１８、ディジタル音声データ用メモリ１９、音声切替部２０、及び制御部２１を有している。なお、当該ＨＤラジオ受信機は、車両等の移動体に設けられる。ここでは、ナビゲーションシステム２２及び車速センサ２３を有する車両に設けた場合について説明する。
【００１６】
アンテナ１１で受信されたＦＭ  ＨＤラジオ放送波は、アンテナ切替部１２を経由してフロントエンド１３へ送られる。フロントエンド１３では、受信した放送波から、希望の放送局の周波数の信号を選択して中間周波数（ＩＦ）に変換した後、ＦＭ検波部１４及びディジタル信号デコード部１８へ供給する。
なお、フロントエンド１３は、プログラマブル分周器を含むＰＬＬ回路１６によって制御されており、制御部２１が、分周比をＰＬＬ回路１６に設定して選局動作を行なう構成となっている。ＦＭ検波部１４からの検波出力はＭＰＸ復調回路１５に供給されており、ステレオ放送の場合には、Ｌ（左）、Ｒ（右）チャンネルの信号に分離されアナログ音声データとして、音声切替部２０に出力される。
【００１７】
ディジタル信号デコード部１８は、中間周波数に変換されたディジタルデータを、動作クロックに同期した所定のタイミングで取得してデコード（復調）する。ディジタル信号デコード部１８にデコードされた音声データは、一旦ディジタル音声データ用メモリ１９に格納され、ディジタル音声データとして音声切替部２０に出力される。制御部２１は、ディジタル音声データ用メモリの使用状況を確認し、ディジタル放送の出力が可能な場合は、音声切替部２０に対してディジタル音声データ用メモリ１９からの出力であるディジタル音声を選択するよう指令する。一方、ディジタル音声の出力が不可能な場合には、制御部２１が、音声切替部２０に対して、ＭＰＸ復調回路１５からの出力であるアナログ音声を選択するよう指令する。
【００１８】
ＡＦチェックの頻度（回数／秒）及びＡＦチェック開始閾値は、制御部２１に設定されている。ＡＦチェック開始閾値とは、ＡＦチェックを開始する受信電界強度等の受信品質を規定するパラメータに関する閾値である。制御部２１は、当該閾値をＡＦチェック開始条件として保持しており、受信品質検出部１７で検出された上記パラメータの値と当該閾値との比較結果からＡＦチェック開始条件を満たしていると判断すると、ＭＰＸ復調回路１５が現受信局の放送波から取得したＡＦリストに基づいてＡＦチェックを実行する。
なお、ＡＦリストとは、現受信局と同一放送内容（番組）を放送している放送局の周波数（代替周波数）のリストである。
【００１９】
次に動作について説明する。
以下では、放送局の受信状況に応じてＡＦチェック制御を切り替える、方法１〜方法５の詳細を述べる。
（方法１）ディジタル放送受信中はＡＦチェックの頻度を減らす方法
図５は、実施の形態１のＨＤラジオ受信機による動作（方法１）の流れを示すフローチャートである。ＨＤラジオ受信機において、放送を受信し始めたときには、上述のように必ずアナログ放送から最初に受信される。このとき、制御部２１は、アナログ放送受信におけるＡＦチェック頻度（回数／秒）を初期値として設定する（ステップＳＴ１）。
【００２０】
次に、制御部２１は、受信品質検出部１７で検出された受信品質レベルに基づいて、ＨＤラジオ放送におけるディジタル放送の受信が可能か否か、すなわち受信中のＨＤラジオ放送のディジタル音声出力が可能か否かを判定する（ステップＳＴ２）。つまり、ディジタル放送の受信が不可な受信品質レベルでは、ディジタル音声出力が“０”となり、ディジタル放送の受信が可能な受信品質レベルではディジタル音声出力される。
【００２１】
制御部２１は、ディジタル音声出力が可能と判定すると（ステップＳＴ２；ＹＥＳ）、現在の頻度よりもＡＦチェック頻度を下げる（ステップＳＴ３）。ＡＦチェック頻度をどの程度下げるかは、頻度を下げることによる効果が十分に期待できる値とする。例えば、現在の頻度から半減させたり、完全に０としてもよい。ＡＦチェック頻度を下げる目標値は、制御部２１に予め設定しておく。
【００２２】
一方、ディジタル音声出力が不可能と判定した場合（ステップＳＴ２；ＮＯ）、制御部２１は、現在のＡＦチェック頻度を継続する（ステップＳＴ４）。現在の頻度を維持するのではなく、ディジタル音声出力が不可能であれば、現在の頻度よりもＡＦチェック頻度を上げるようにしてもよい。
【００２３】
なお、ディジタル音声出力が可能か否かに応じてＡＦチェックの頻度を変更するだけでなく、受信品質（受信電界値やマルチパス、隣接妨害等）の影響も考慮して、より細かくＡＦチェックの頻度を設定してもよい。
例えば、受信電界値、マルチパス、隣接妨害等の受信品質を規定するパラメータから、ＡＦチェックの頻度の最適値（実験的、統計的に決定した値）を算出する方程式を制御部２１に設定しておく。制御部２１は、ディジタル放送受信中に受信品質検出部１７で検出された受信品質の検出結果の上記パラメータと当該方程式を用いて最適値を算出し、算出した値をＡＦチェック頻度として設定する。
【００２４】
アナログ放送受信中の場合もディジタル放送受信中の場合も、ＡＦチェック開始条件を満たした時点で、ＡＦチェックを実施する。例えば、受信電界値やマルチパス、隣接妨害等から規定される受信品質レベルに関する閾値をＡＦチェック開始条件として制御部２１に設定しておく。制御部２１は、アナログ放送又はディジタル放送の受信中に、受信品質検出部１７で検出された結果から導出した受信品質レベルと上記閾値とを比較して、現受信局の受信品質レベルが閾値未満となり、ＡＦチェック開始条件を満たしたと判断された時点でＡＦチェックを行う。
【００２５】
（方法２）ディジタル放送受信中はＡＦチェック開始閾値を下げる方法
図６は、実施の形態１のＨＤラジオ受信機による動作（方法２）の流れを示すフローチャートである。ＨＤラジオ受信機において、放送を受信し始めたときには、上述のように必ずアナログ放送から最初に受信される。このとき、制御部２１は、アナログ放送受信におけるＡＦチェック開始閾値を初期値として設定する（ステップＳＴ１ａ）。
なお、このＡＦチェック開始閾値とは、例えば、受信電界値やマルチパス、隣接妨害等から規定される受信品質レベルに関する閾値であり、受信品質レベルが当該閾値未満まで低下すると、ＡＦチェックが開始される。
【００２６】
次に、制御部２１は、方法１と同様に、受信中のＨＤラジオ放送のディジタル音声出力が可能か否かを判定する（ステップＳＴ２ａ）。ディジタル音声出力が可能と判定すると（ステップＳＴ２ａ；ＹＥＳ）、制御部２１は、現在よりもＡＦチェック開始閾値を下げる（ステップＳＴ３ａ）。ＡＦチェック開始閾値をどの程度下げるかについては、ＡＦチェックを行う必要がない受信レベルとなる値とする。ＡＦチェック開始閾値を下げる目標値は、制御部２１に予め設定しておく。
【００２７】
一方、ディジタル音声出力が不可能と判定した場合（ステップＳＴ２ａ；ＮＯ）、制御部２１は、現在のＡＦチェック開始閾値を維持する（ステップＳＴ４ａ）。また、現在の閾値を維持するのではなく、ディジタル音声出力が不可能であり、暫くアナログ音声出力が継続されるような場合あれば、現在の値よりもＡＦチェック開始閾値を上げるようにしてもよい。
【００２８】
なお、ディジタル音声出力が可能か否かに応じてＡＦチェック開始閾値を変更するだけでなく、受信品質（受信電界値やマルチパス、隣接妨害等）の影響も考慮して、より細かくＡＦチェック開始閾値を設定してもよい。
例えば、受信電界値、マルチパス、隣接妨害等の受信品質を規定するパラメータから、ＡＦチェック開始閾値の最適値（実験的、統計的に決定した値）を算出する方程式を制御部２１に設定しておく。制御部２１は、ディジタル放送受信中に、受信品質検出部１７で検出された受信品質の検出結果の上記パラメータと当該方程式を用いて最適値を算出し、算出した値をＡＦチェック開始閾値として設定する。
【００２９】
アナログ放送受信中の場合もディジタル放送受信中の場合も、ＡＦチェック開始条件を満たした時点で、ＡＦチェックを実施する。例えば、受信電界値や、マルチパス、隣接妨害等から規定される受信品質レベルに関する閾値を、ＡＦチェック開始条件として制御部２１に設定しておく。制御部２１は、アナログ放送又はディジタル放送の受信中に、受信品質検出部１７で検出された結果から導出した受信品質レベルと上記閾値とを比較して、現受信局の受信品質レベルが閾値未満となり、ＡＦチェック開始条件を満たしたと判断された時点でＡＦチェックを行う。
【００３０】
（方法３）ＡＦ局のディジタル放送局率からＡＦチェックを制御する方法
図７は、実施の形態１のＨＤラジオ受信機による動作（方法３）の流れを示すフローチャートである。ＨＤラジオ受信機において、制御部２１は、ナビゲーションシステム２２から自車の位置情報を取得し、当該位置情報から特定される自車が位置する地域ごとのディジタル放送局の情報、すなわち、当該地域における現受信局に対する全てのＡＦリストをＭＰＸ復調回路１５から入力する。次に、制御部２１は、現在の受信局における全てのＡＦリストに対するディジタル放送局の割合を示すディジタル放送局率を算出して、当該ディジタル放送局率が所定の基準値以上であるか否かを判定する（ステップＳＴ１ｂ）。
【００３１】
制御部２１は、ディジタル放送局率が所定の基準値以上であると判定すると（ステップＳＴ１ｂ；ＹＥＳ）、ＡＦチェックによってアナログ放送へ切り替わる可能性が低いことから、現在のＡＦチェック頻度を継続する（若しくは現在よりＡＦチェック頻度を上げる）、又は現在のＡＦチェック開始閾値を維持する（若しくは現在よりＡＦチェック開始閾値を上げる）、のうちの少なくとも一方を実行する（ステップＳＴ２ｂ）。
【００３２】
一方、ディジタル放送局率が所定の基準値未満であると判定すると（ステップＳＴ１ｂ；ＮＯ）、ＡＦチェックによってアナログ放送へ切り替わる可能性が高いことから、制御部２１は、現在の頻度よりＡＦチェック頻度を下げる、又は現在よりＡＦチェック開始閾値を下げる、のうちの少なくとも一方を実行する（ステップＳＴ３ｂ）。なお、ＡＦチェック頻度又はＡＦチェック開始閾値を下げる目標値は、制御部２１に予め設定しておく。
【００３３】
なお、ＡＦ局のディジタル放送局率が所定の基準値以上であるか否かに応じてＡＦチェック頻度又はＡＦチェック開始閾値を変更するだけでなく、ＡＦ局のディジタル放送局率の値に応じて段階的にＡＦチェック頻度又はＡＦチェック開始閾値の最適値を決定しておき、ＡＦ局のディジタル放送局率の値に応じてＡＦチェック頻度又はＡＦチェック開始閾値を段階的により細かく変更するようにしてもよい。
【００３４】
（方法４）車速度情報に応じてＡＦチェックを制御する方法
図８は、実施の形態１のＨＤラジオ受信機による動作（方法４）の流れを示すフローチャートである。ＨＤラジオ受信機において、制御部２１は、先ず、ディジタル放送受信中に、車速センサ２３から自車の車速度情報を取得し、現在の車速度が所定の基準値未満であるか否か（ある一定の基準値より遅いか否か）を判定する（ステップＳＴ１ｃ）。
【００３５】
制御部２１は、車速度が所定の基準値未満であると判定すると（ステップＳＴ１ｃ；ＹＥＳ）、自車が一定時間に移動する距離が短くなり、放送局の受信状態の変化が小さいため、現在の頻度よりＡＦチェック頻度を下げる、又は現在よりＡＦチェック開始閾値を下げる、のうちの少なくとも一方を実行する（ステップＳＴ２ｃ）。
ＡＦチェック頻度又はＡＦチェック開始閾値をどの程度下げるかについては、方法１，２と同様とする。ＡＦチェック頻度又はＡＦチェック開始閾値を下げる目標値は、制御部２１に予め設定しておく。
【００３６】
一方、車速度が所定の基準値以上であると判定すると（ステップＳＴ１ｃ；ＮＯ）、自車が一定時間に移動する距離が長く、放送局の受信環境の変化が大きいため、制御部２１は、現在のＡＦチェック頻度を継続する（若しくは現在のＡＦチェック頻度よりも上げる）、又は、現在のＡＦチェック開始閾値を維持する（若しくは現在のＡＦチェック開始閾値よりも上げる）、のうちの少なくとも一方を実行する（ステップＳＴ３ｃ）。
【００３７】
なお、車速度が所定の基準値未満であるか否かに応じてＡＦチェック頻度又はＡＦチェック開始閾値を変更するだけでなく、車速度の値に応じて、より細かくＡＦチェックの回数を設定してもよい。さらに、車が停止している場合は、放送局の受信状態が変化しないため、ＡＦチェックを停止してもよい。
【００３８】
（方法５）方法１〜方法４の組み合わせの方法
図９は、実施の形態１のＨＤラジオ受信機による動作（方法５）の流れを示すフローチャートである。ＨＤラジオ受信機において、制御部２１は、放送を受信し始めたときに、上述のように必ずアナログ放送から最初に受信される。このとき、制御部２１は、アナログ放送受信におけるＡＦチェック頻度及びＡＦチェック開始閾値を初期値として設定する（ステップＳＴ１ｄ）。
【００３９】
次に、制御部２１は、受信中のＨＤラジオ放送のディジタル音声出力が可能か否かを判定し、制御部２１による処理で得られた情報を記録するワーク領域を形成したメモリ（図４で図示を省略）に、当該判定結果を記録する（ステップＳＴ２ｄ）。なお、ディジタル音声出力が可能か否かの判定結果だけではなく、受信品質検出部１７で取得された現時点の受信品質（受信電界値やマルチパス、隣接妨害等）を示す検出結果についても記録するようにしてもよい。
【００４０】
続いて、制御部２１は、ナビゲーションシステム２２から自車の位置情報を取得して、当該位置情報から特定される自車が位置する地域ごとのディジタル放送局の情報、すなわち、当該地域における現在の受信局に対する全てのＡＦリストをＭＰＸ復調回路１５から入力し、現在の受信局における全てのＡＦリストに対するディジタル放送局の割合を示すディジタル放送局率を算出して上記メモリに記録する（ステップＳＴ３ｄ）。
【００４１】
また、制御部２１は、ディジタル放送受信中であると、車速センサ２３から現在の自車の車速度情報を取得して上記メモリに記録する（ステップＳＴ４ｄ）。
【００４２】
ステップＳＴ５ｄにおいて、制御部２１は、上記メモリに記録されている、現在の受信状態がディジタル音声出力が可能であるか否か、ディジタル放送局率が所定の基準値以上であるか否か、又は、ディジタル放送受信中で車速度が所定の基準値未満であるか否かを考慮して、ＡＦチェック頻度又はＡＦチェック開始閾値を制御する。
具体的には、現在の受信状態がディジタル音声出力が可能であるか否か、ディジタル放送局率が所定の基準値以上であるか否か、又は、ディジタル放送受信中で車速度が所定の基準値未満であるか否かを、ディジタル値で表現したパラメータを用いて、ＡＦチェック頻度及びＡＦチェック開始閾値の最適値（実験的、統計的に決定した値）を算出する方程式を制御部２１に設定しておく。
制御部２１は、ステップＳＴ２ｄからステップＳＴ４ｄまでの処理を完了した時点で、上記メモリに記録されている上記パラメータを用いて、当該方程式から算出した最適値をＡＦチェック頻度及びＡＦチェック開始閾値とする。
【００４３】
以上のように、この実施の形態１によれば、ディジタル音声出力が可能か（ディジタル放送受信が可能か）、現受信局の全ＡＦ局のディジタル放送局率、車速度情報のうちの少なくとも一つの変化から、ディジタル放送の受信中に実行されるＡＦチェックの回数が減るように、ＡＦチェック頻度又はＡＦチェック開始閾値の少なくとも一方を制御する。
このようにすることで、ＡＦチェックに起因したディジタル放送受信時の同期外れを効果的に抑制することができる。
【００４４】
なお、本願発明はその発明の範囲内において、実施の形態の任意の構成要素の変形、もしくは実施の形態の任意の構成要素の省略が可能である。
【手続補正２】
【補正対象書類名】特許請求の範囲
【補正対象項目名】全文
【補正方法】変更
【補正の内容】
【特許請求の範囲】
【請求項１】
アナログ放送とディジタル放送が混在したハイブリッド放送を受信するとともに、同一内容を放送している放送局の周波数を確認するＡＦ（Alternative Frequencies）チェックを実行して受信状態が良好な放送波を受信する受信装置において、
前記ハイブリッド放送におけるディジタル放送を受信するにあたり、所定時間内にＡＦチェックを実行する回数を前記アナログ放送の受信時よりも減らす制御を行う制御部を備えたことを特徴とする受信装置。
【請求項２】
アナログ放送とディジタル放送が混在したハイブリッド放送を受信するとともに、同一内容を放送している放送局の周波数を確認するＡＦチェックを実行して受信状態が良好な放送波を受信する受信装置において、
前記ハイブリッド放送におけるディジタル放送を受信するにあたり、ＡＦチェックを開始する受信品質レベルの閾値を、前記アナログ放送の受信時よりも下げる制御を行う制御部を備えたことを特徴とする受信装置。
【請求項３】
アナログ放送とディジタル放送が混在したハイブリッド放送を受信するとともに、同一内容を放送している放送局の周波数を確認するＡＦチェックを実行して受信状態が良好な放送波を受信する受信装置において、
受信中の前記ハイブリッド放送で同一内容を放送している切り替え可能な全ての放送局に対するディジタル放送局の割合であるディジタル放送局率に応じて、前記ディジタル放送の受信時に実行されるＡＦチェックの回数が減るように、所定時間内にＡＦチェックを実行する回数又はＡＦチェックを開始する受信品質レベルの閾値を変更する制御を行う制御部を備えたことを特徴とする受信装置。
【請求項４】
アナログ放送とディジタル放送が混在したハイブリッド放送を受信するとともに、同一内容を放送している放送局の周波数を確認するＡＦチェックを実行して受信状態が良好な放送波を受信する受信装置において、
前記ハイブリッド放送におけるディジタル放送を受信可能か否か、受信中の前記ハイブリッド放送で同一内容を放送している切り替え可能な全ての放送局に対するディジタル放送局の割合であるディジタル放送局率及び自装置を搭載する移動体の移動速度に応じて、前記ディジタル放送の受信時に実行されるＡＦチェックの回数が減るように、所定時間内にＡＦチェックを実行する回数又はＡＦチェックを開始する受信品質レベルの閾値を変更する制御を行う制御部を備えたことを特徴とする受信装置。
【国際調査報告】
2012014254.tif 000012
2012014254.tif 000013